(57)【要約】      （修正有）【課題】トイレや脱衣場など冬場に気温の下がる部屋の照明と暖房とを一つの装置で行うことができると共に、同じ照明ランプを一年を通して使用でき、気温の高い夏場には暖房機能だけを簡単に停止することができる照明装置を提供する。【解決手段】埋め込み型の照明装置であって、装置本体１１と、装置本体１１に設けられたＬＥＤランプ２と、装置本体１１に設けられたカーボンヒーター３とを備え、ＬＥＤランプ２及びカーボンヒーター３へは商用電源から電力が供給され、ＬＥＤランプ２への電力供給は、装置本体１１以外に設けられた第１スイッチによって入切可能であり、カーボンヒーター３への電力供給は、第１スイッチ又は装置本体１１に設けられた第２スイッチ５によって入切可能で、第１スイッチが入状態で且つ第２スイッチ５が入状態のときのみカーボンヒーター３へ電力が供給される。【選択図】図２
0003212032.tif 000002
【実用新案登録請求の範囲】
【請求項１】
埋め込み型の照明装置であって、
装置本体と、
前記装置本体に設けられた照明部材と、
前記装置本体に設けられた暖房部材と、
を備え、
前記照明部材及び前記暖房部材へは商用電源から電力が供給され、
前記照明部材への電力供給は、前記装置本体以外に設けられた第１スイッチによって入切可能であり、
前記暖房部材への電力供給は、第１スイッチ又は前記装置本体に設けられた第２スイッチによって入切可能で、
第１スイッチが入状態で且つ第２スイッチが入状態のときのみ前記暖房部材へ電力が供給される
ことを特徴とする照明装置。
【請求項２】
前記照明部材がＬＥＤランプである
請求項１記載の照明装置。
【請求項３】
前記暖房部材が赤外線放射部材である
請求項１又は２に記載の照明装置。
【請求項４】
第１スイッチが壁スイッチである
請求項１〜３のいずれかに記載の照明装置。
【請求項５】
底面視において前記照明部材が装置本体の中央に配置され、前記暖房部材が前記照明部材を囲むように配置されている
請求項１〜４のいずれかに記載の照明装置。
【請求項６】
底面視において第２スイッチが装置本体の外縁部に配置されている
請求項１〜５のいずれかに記載の照明装置。
【考案の詳細な説明】
【技術分野】
【０００１】
本考案は照明装置に関し、より詳細には暖房機能と照明機能とを備えた埋め込み型の照明装置に関するものである。
【背景技術】
【０００２】
トイレや洗面所、脱衣場などは必要なとき以外は立ち入らないため、冬場は外気温にまで室内温度が下がっていることがあり、使用者は不快な思いすることがあった。特に高齢者では寒さのために突発的に体に異常が起こることもあった。そこで暖房器具をトイレや脱衣場などに配置することがこれまでから行われている。例えば、特許文献１では、トイレに温風発生部を設け使用者を直接温める技術が提案されている。しかしながら、温風により温める方法では、使用者が暖かく感じるまでに時間がかかるため、快適温度に達するまでに用を足し終わることも珍しくなかった。また、風が体に直接当たることにより逆に寒さを感じることもあった。
【０００３】
一方、特許文献２では、瞬暖性を得るために赤外線ランプヒーターを用いた暖房装置が提案されている。しかしながら、この提案されている暖房装置では、赤外線ランプヒーターを暖房と照明とに利用するものであり、所定の明るさを確保するために複数個のランプヒーターを使用する必要があった。また、夏場は暖房が不要となるため照明のみの別のランプを使用しなければならない。さらに、提案されている装置は天井の全面を覆うほど大きく、設置するためには大がかりな施工工事が必要と考えられる。
【先行技術文献】
【特許文献】
【０００４】
【特許文献１】特開２００１−３３３８７３号公報
【特許文献２】特開平８−４９８６０号公報
【考案の概要】
【考案が解決しようとする課題】
【０００５】
本考案はこのような従来の問題に鑑みてなされたものであり、その目的とするところは、トイレや洗面所、脱衣場など冬場に気温の下がる部屋の照明と暖房とを一つの装置で行うことができると共に、同じ照明ランプを一年を通して使用でき、気温の高い夏場には暖房機能だけを簡単に停止することができる埋め込み型の照明装置を提供することにある。
【課題を解決するための手段】
【０００６】
本考案に係る照明装置は、埋め込み型の照明装置であって、装置本体と、前記装置本体に設けられた照明部材と、前記装置本体に設けられた暖房部材とを備え、前記照明部材及び前記暖房部材へは商用電源から電力が供給され、前記照明部材への電力供給は、前記装置本体以外に設けられた第１スイッチによって入切可能であり、前記暖房部材への電力供給は、第１スイッチ又は前記装置本体に設けられた第２スイッチによって入切可能で、第１スイッチが入状態で且つ第２スイッチが入状態のときのみ前記暖房部材へ電力が供給されることを特徴とする。
【０００７】
前記構成の照明装置において、前記照明部材はＬＥＤランプであるのが好ましい。
【０００８】
また、前記構成の照明装置において、前記暖房部材が赤外線放射部材であるのが好ましい。
【０００９】
また、前記構成の照明装置において、第１スイッチが壁スイッチであるのが好ましい。
【００１０】
また、前記構成の照明装置は、底面視において前記照明部材が装置本体の中央に配置され、前記暖房部材が前記照明部材を囲むように配置されているのが好ましい。
【００１１】
また、前記構成の照明装置は、底面視において第２スイッチが装置本体の外縁部に配置されているのが好ましい。
【考案の効果】
【００１２】
本考案の埋め込み型の照明装置によれば、部屋の照明と暖房を一つの装置で行うことができると共に、同じ照明ランプを一年を通して使用できる。また、気温の高い夏場には照明部材を機能させたまま暖房部材を簡単に停止することができる。
【図面の簡単な説明】
【００１３】
【図１】本考案に係る照明装置の一実施形態を示す回路図である。
【図２】本考案に係る照明装置を斜め下方から見た斜視図である。
【図３】本考案に係る照明装置を斜め上方から見た斜視図である。
【図４】本考案に係る照明装置の天井面への取り付け状態を示す図である。
【考案を実施するための形態】
【００１４】
以下、本考案を図に基づいてさらに詳しく説明するが本考案はこれらの実施形態に何ら限定されるものではない。
【００１５】
図１に、本考案に係る埋め込み型の照明装置（以下、単に「照明装置」と記すことがある。）の一実施形態を示す回路図を示す。本考案の照明装置Ｌの装置本体１には照明部材２と暖房部材３とが設けられている。照明部材２及び暖房部材３へは商用電源から電力が供給される。商用電源から照明部材２への第１電力供給路８１には第１スイッチ４が設けられている。この第１スイッチ４を入切することによって照明部材２が点灯及び消灯する。第１スイッチ４の設置場所は装置本体１以外であり、通常は、本考案の照明装置Ｌが取り付けられている部屋の入り口付近である。すなわち第１スイッチ４は、通常、壁スイッチである。
【００１６】
商用電源から暖房部材３への第２電力供給路８２は第１電力供給路８１から分岐し、第２電力供給路８２には第２スイッチ５が設けられている。この第２スイッチ５を入切することによって暖房部材３がオン及びオフする。第２スイッチ５の設置場所は装置本体１である。
【００１７】
第１スイッチ４及び第２スイッチ５の入切によって照明部材２及び暖房部材３の状態変化を下記表１に示す。
【００１８】
【表１】
0003212032.tif 000003
【００１９】
表１から理解されるように、第１スイッチ４と第２スイッチ５の入切の組み合わせは４パターンある。順に説明すると、第１パターンである第１スイッチ４が「入」で第２スイッチ５が「入」のとき、照明部材２が点灯し暖房部材３はオンとなる。第２パターンである第１スイッチ４が「入」で第２スイッチ５が「切」のとき、照明部材２が点灯し暖房部材３はオフとなる。第３パターンである第１スイッチ４が「切」で第２スイッチ５が「入」のとき、及び第４パターンである第１スイッチ４が「切」で第２スイッチ５が「切」のときはいずれも、照明部材２が消灯し暖房部材３はオフとなる。
【００２０】
つまり、照明部材２の点灯・消灯は第１スイッチ４の入・切によって行われ、暖房部材３のオン・オフは第１スイッチ４及び第２スイッチ５の入・切によって行われる。ただし、第２スイッチ５の入・切は第１スイッチ４が「入」のときのみ有効となる。換言すると、第１スイッチ４が「入」で且つ第２スイッチ５が「入」のときのみ暖房部材３はオンとなる。
【００２１】
このような構成の照明装置Ｌによれば、気温の低い冬場には第２スイッチ５を「入」にしておくことにより、壁スイッチとしての第１スイッチ４の入・切によって照明部材２が点灯・消灯すると同時に暖房部材３もオン・オフされ、照明部材２と暖房部材３とが第１スイッチ４で入・切できる。また、気温の高い夏場には第２スイッチ５を「切」にしておけば、壁スイッチとしての第１スイッチ４の入・切によって照明部材２だけが点灯・消灯し、暖房部材３はオフのままとなるので無駄な電力消費が防止される。加えて、第２スイッチ５は装置本体１に設けられているので使用者は第２スイッチ５の入切操作を簡単に行える。
【００２２】
本考案で使用する照明部材２としては、可視光領域の波長を有する光を放射するものであれば従来公知のものが使用でき、照明する部屋の環境や得たい雰囲気などから適宜決定すればよい。例えばＬＥＤ（Ｌｉｇｈｔ Ｅｍｉｔｔｉｎｇ Ｄｉｏｄｅ）ランプ、白熱電球、蛍光ランプ、水銀ランプ、ナトリウムランプ、メタルハライドランプなどが挙げられる。これらの中でも省エネルギーの観点からはＬＥＤランプが推奨される。
【００２３】
また本考案で使用する暖房部材３としては従来公知のものが使用できる。瞬暖性の観点から暖房部材３としては赤外線放射部材が好ましく、例えばカーボンヒーターやハロゲンヒーターが好適である。赤外線放射部材から放射される赤外線は、波長２．５μｍ以下の近赤外線、波長２．５〜２５μｍの（中間）赤外線、波長２５μｍ以上の遠赤外線のいずれであっても瞬暖性を有するので構わないが、これらの中でも遠赤外線が好適である。赤外線放射部材からの放射光には赤外線の他、可視光線が含まれていても構わない。この場合、赤外線放射部材から放射される可視光線を補助的な照明として用いることもできる。
【００２４】
図２及び図３に、本考案に係る照明装置Ｌの実施形態を示す斜視図を示す。図２は照明装置Ｌを斜め下方から見た斜視図、図３は照明装置Ｌを斜め上方から見た斜視図である。これらの図に示す照明装置Ｌは、装置本体１と、ＬＥＤランプ（照明部材）２と、円周形状のカーボンヒーター（暖房部材）３とを有する。装置本体１は、下面開口の円筒状の筺体１１と、筐体１１の外側面の下部を覆うカバー１２と、筐体１１の下端開口に形成された円周状に凹んだ反射部１３と、筐体１１の外側面に周方向に等間隔で複数個設けられた板状の金具１４とを有する。なお、反射部１３の内周面は光を反射するように加工されている。また、金具１４は下端部が筐体１１に取り付けられ上端部は自由端とされており、下端部を中心として上端部が筐体１１の外側面に近接した状態と筐体１１から離れた状態とに揺動可能とされ、後述のように、照明装置Ｌを天井等に取り付ける際に使用される。
【００２５】
ＬＥＤランプ２は、筐体１１内に取り付けられたソケット（不図示）にねじ込み装着され、底面視において筐体１１の反射部１３に囲まれた下面中央に配置されている。また、カーボンヒーター３は、円周状の反射部１３内に内周面から離隔して配置されている。
【００２６】
カバー１２の下面縁部には、カーボンヒーター３の入切スイッチ（第２スイッチ）５が設けられている。また、筐体１１の上面には商用電源の電源線９を接続するため端子台１５が設けられている。この端子台１５を介して商用電源からＬＥＤランプ２及びカーボンヒーター３に供給される。
【００２７】
図４に、このような構成の照明装置Ｌの天井面への取り付け状態を示す。照明装置Ｌを取り付ける天井面には、照明装置Ｌの筐体１１の外径よりも大きく且つカバー１２の外径よりも小さい貫通孔が形成される。照明装置Ｌを天井面に取り付ける際には、金具１４の上端部を筐体１１の外側面に接近した状態とし、貫通孔に対して筐体１１及び金具１４を下方から上方に向かって挿通させる。次いで、金具１４の上端部を筐体１１から離れる方向すなわち筐体１１の半径方向外方向に押し広げて照明装置Ｌを天井に取り付ける。天井に埋め込み固定された照明装置Ｌは下方から見るとカバー１２だけが天井から露出した状態となる。
【００２８】
そして、天井に埋め込み固定された照明装置Ｌの端子台１５に、図３に示すように商用電源の電源線９が接続される。この電源線９の途中には第１スイッチが設けられる。通常、第１スイッチは部屋の壁に設けられたいわゆる壁スイッチとされる。
【００２９】
次に、照明装置Ｌの使用方法について説明する。気温の低い冬場などには照明装置Ｌの入切スイッチ５は「入」とされる。照明装置Ｌが取り付けられた部屋に使用者が入る場合には、部屋の扉の近傍に配設されている壁スイッチ（第１スイッチ）が使用者によって「入」とされる。すると、照明装置のＬＥＤランプ２が点灯し部屋が明るくなる同時にカーボンヒーター３も点灯する。点灯したカーボンヒーター３から放射される赤外線は、直接又は反射部１３の内周面で反射して、下端開口から外部に出射され使用者に当射して使用者は瞬時に暖かさを感じる。もちろん、壁スイッチの代わりに、第１スイッチとして赤外線センサーや振動検知センサーなどの人検知センサーを用いてもよい。一方、使用者が部屋を出る場合には、照明装置Ｌの壁スイッチを「切」にする。すると、ＬＥＤランプ２が消灯すると同時にカーボンヒーター３もオフとなり、カーボンヒーター３の切り忘れが防止される。
【００３０】
夏場など暖房を必要としない場合には、入切スイッチ５は「切」とされる。これにより、壁スイッチが「入」となった場合、ＬＥＤランプ２は点灯するがカーボンヒーター３はオフの状態を維持し無駄な電力消費が防止される。なお、第２スイッチと共に室内温度を検知する温度検知センサーを設置し、温度検知センサーによる検知温度に基づいて入切スイッチ５の入切を行うようにしてもよい。すなわち、温度検知センサーの検知温度が所定温度以上になればカーボンヒーター３の入切スイッチ５をオフする一方、温度検知センサーの検知温度が所定温度以下になると入切スイッチ５をオンする。
【００３１】
以上説明した実施形態では、装置本体１の底面視においてＬＥＤランプ２が中央に配置され、カーボンヒーター３がＬＥＤランプ２を囲むように配置されていたが、これに限定されるものではなく、例えばカーボンヒーター３が中央に配置され、その周囲にＬＥＤランプ２が配置されていてもよい。また、装置本体１の底面形状は円形状の外、長方形状など従来公知の形状を取り得る。
【産業上の利用可能性】
【００３２】
本考案の埋め込み型の照明装置は、部屋の照明と暖房を一つの装置で行うことができると共に、同じ照明ランプを一年を通して使用でき、また気温の高い夏場には照明部材を機能させたまま暖房部材を簡単に停止することができ有用である。
【符号の説明】
【００３３】
Ｌ    照明装置
１    装置本体
２    ＬＥＤランプ（照明部材）
３    カーボンヒーター（暖房部材）
４    壁スイッチ（第１スイッチ）
５    入切スイッチ（第２スイッチ）
９    電源線
１１    筐体
１２    カバー
１３    反射部
１４    金具
１５    端子台
８１    第１電力供給路
８２    第２電力供給路
【図１】
0003212032.tif 000004
【図２】
0003212032.tif 000005
【図３】
0003212032.tif 000006
【図４】
0003212032.tif 000007